(57)【特許請求の範囲】
【請求項１】
軒天井の下面と外壁材の上端部の間に配設される長尺な通気軒天井見切り縁であって、
直立板状のカバー片と押え片とが上下に連設され、前記カバー片と前記押え片との連設部付近で開口する排気孔を備えた表面化粧部と、
この表面化粧部の前記カバー片と前記押え片との連設部から後方へ突出する突出部と、
この突出部の前後方向の中央付近から起立する固着具打込部と、
この固着具打込部の上端部から後方斜め上方向に延びる傾斜部と、
を備え、前記表面化粧部の排気孔から、前記固着具打込部へ向かって固着具の挿入および打ち込みが可能とされていることを特徴とする通気軒天井見切り縁。
【請求項２】
前記固着具打込部には、前方側に溝部が配設されていることを特徴とする請求項１に記載の通気軒天井見切り縁。
【請求項３】
前記突出部には、前記固着具打込部より後方側に、上方へ突出する起立部が設けられ、前記傾斜部には、下方へ突出し、前記起立部と上下に対向する垂下部が設けられ、前記起立部と前記垂下部の間に固着具誘導部が形成されていることを特徴とする請求項１または２に記載の通気軒天井見切り縁。
【請求項４】
前記傾斜部の後方端部および前記突出部の後方端部には、支持部が設けられていることを特徴とする請求項１から３のいずれか一項に記載の通気軒天井見切り縁。
【請求項５】
前記支持部には、前後方向に貫通する通気孔が設けられていることを特徴とする請求項４に記載の通気軒天井見切り縁。
【請求項６】
請求項１に記載の通気軒天井見切り縁の取付構造であって、軒天井の下面と外壁材の上端部の間に挿入された通気軒天井見切り縁は、前記表面化粧部のカバー片の上端部が軒天井の下面に当接しており、前記突出部の下面が外壁材の上端部の上方に位置しており、前記表面化粧部の排気孔から挿入された固着具が、前記固着具打込部を貫通して後方に固着されているとともに、前記固着具の頭部が前記表面化粧部と前記固着具打込部の間に収納されていることを特徴とする通気軒天井見切り縁の取付構造。
【請求項７】
前記通気軒天井見切り縁は、前記突出部に、前記固着具打込部より後方側に、上方へ突出する起立部が設けられ、前記傾斜部に、下方へ突出し、前記起立部と上下に対向する垂下部が設けられ、前記起立部と前記垂下部の間に固着具誘導部が形成されており、
前記表面化粧部の排気孔から挿入された固着具が、前記固着具打込部を貫通し、前記固着具誘導部を通じて後方に固着されていることを特徴とする請求項６に記載の通気軒天井見切り縁の取付構造。
【発明の詳細な説明】
【技術分野】
【０００１】
本発明は、通気軒天井見切り縁とその取付構造に関する。
【背景技術】
【０００２】
本出願人は、例えば、特許文献１において、外壁材の上端部と軒天井の間に配設される見切り縁として、通気孔を備えたものを提案している。この見切り縁は、壁下地の外側の通気路と通気孔を連通させることで、通気路内に流入した外気が通気孔から屋外へ排気される構造とされている。
【０００３】
また、特許文献２には、化粧片と突出片と押え片とに囲まれたコ字状の通気溝と、押え片と突出片と固定片とで囲まれた挿入溝を形成するとともに、通気溝内に貫通する通気孔を複数形成した止縁が開示されている。止縁の挿入溝内には、外壁材の上端部が挿入されて、外壁が形成されている。
【先行技術文献】
【特許文献】
【０００４】
【特許文献１】特開昭61−177102号公報
【特許文献２】特開平10−61050号公報
【発明の概要】
【発明が解決しようとする課題】
【０００５】
しかしながら、特許文献１の見切り縁は、取り付け凹所に釘のような固着具を打ち込むことで見切り縁を外壁材に取付ける構造となっている。このため、見切り縁の取付作業は比較的容易ではあるものの、固着具が外方に露出してしまうため、施工後の見栄えについては検討の余地があると考えられた。
【０００６】
一方、特許文献２の止縁は、予め外壁材の取付前に止縁を胴縁に固定し、この止縁の挿入溝内に外壁材の上端を挿入する構造となっている。このため、固定片に打ち込まれた固着具は外壁材によって覆われるものの、外壁材を固定するための固着具は外方に露出してしまうため、施工後の見栄えが良好であるとは言い難い。さらに、特許文献２の止縁は、挿入溝内に外壁材の上端を挿入した状態で取付位置の調整を行うため、取付作業が容易でないという施工容易性の面での問題もあった。
【０００７】
本発明は、以上のとおりの事情に鑑みてなされたものであり、施工が容易であり、施工後の見栄えも良好な通気軒天井見切り縁とその取付構造を提供することを課題としている。
【課題を解決するための手段】
【０００８】
上記の課題を解決するために、本発明の通気軒天井見切り縁は、軒天井の下面と外壁材の上端部の間に配設される長尺な通気軒天井見切り縁であって、直立板状のカバー片と押え片とが上下に連続して形成され、前記カバー片と前記押え片との連設部付近で開口する排気孔を備えた表面化粧部と、この表面化粧部の前記カバー片と前記押え片との連設部から後方へ突出する突出部と、この突出部の前後方向の中央付近から起立する固着具打込部と、この固着具打込部の上端部から後方斜め上方向に延びる傾斜部とを備え、前記表面化粧部の排気孔から、前記固着具打込部へ向かって固着具の挿入および打ち込みが可能とされていることを特徴としている。
【０００９】
この発明の通気軒天井見切り縁では、前記固着具打込部には、前方側に溝部が配設されていることが好ましい。
【００１０】
この発明の通気軒天井見切り縁では、前記突出部には、前記固着具打込部より後方側に、上方へ突出する起立部が設けられ、前記傾斜部には、下方へ突出し、前記起立部と上下に対向する垂下部が設けられ、前記起立部と前記垂下部の間に固着具誘導部が形成されていることが好ましい。
【００１１】
この発明の通気軒天井見切り縁では、前記傾斜部の後方端部および前記突出部の後方端部には、支持部が設けられていることが好ましい。
【００１２】
この発明の通気軒天井見切り縁では、前記支持部には、前後方向に貫通する通気孔が設けられていることが好ましい。
【００１３】
本発明の通気軒天井見切り縁の取付構造は、前記通気軒天井見切り縁の取付構造であって、軒天井の下面と外壁材の上端部の間に挿入された通気軒天井見切り縁は、前記表面化粧部のカバー片の上端部が軒天井の下面に当接しており、前記突出部の下面が外壁材の上端部の上方に位置しており、前記表面化粧部の排気孔から挿入された固着具が、前記固着具打込部を貫通して後方に固着されているとともに、前記固着具の頭部が前記表面化粧部と前記固着具打込部の間に収納されていることを特徴としている。
【００１４】
この発明の通気軒天井見切り縁の取付構造では、前記通気軒天井見切り縁は、前記突出部に、前記固着具打込部より後方側に、上方へ突出する起立部が設けられ、前記傾斜部に、下方へ突出し、前記起立部と上下に対向する垂下部が設けられ、前記起立部と前記垂下部の間に固着具誘導部が形成されており、前記表面化粧部の排気孔から挿入された固着具が、前記固着具打込部を貫通し、前記固着具誘導部を通じて後方に固着されていることが好ましい。
【発明の効果】
【００１５】
本発明の通気軒天井見切り縁とその取付構造によれば、施工が容易であり、施工後の見栄えも良好となる。
【図面の簡単な説明】
【００１６】
【図１】本発明の通気軒天井見切り縁の第１の実施形態を例示した斜視図である。
【図２】（Ａ）は、本発明の第１の実施形態の通気軒天井見切り縁の取付前の状態を例示した断面概要図である。（Ｂ）は、本発明の第１の実施形態の通気軒天井見切り縁の取付構造を例示した断面概要図である。
【図３】本発明の通気軒天井見切り縁の第２の実施形態を例示した断面概要図である。
【図４】（Ａ）は、本発明の通気軒天井見切り縁の第３の実施形態を例示した断面概要図である。（Ｂ）は、本発明の通気軒天井見切り縁の第４の実施形態を例示した断面概要図である。（Ｃ）は、本発明の通気軒天井見切り縁の第５の実施形態を例示した断面概要図である。
【発明を実施するための形態】
【００１７】
図１は、本発明の通気軒天井見切り縁の第１の実施形態を例示した斜視図である。
【００１８】
通気軒天井見切り縁１は、軒天井の下面と外壁材の上端部の間に配設される長尺な部材であり、表面化粧部２と、突出部３と、固着具打込部４と、傾斜部５とを備えている。材料は、アルミニウム等の各種金属を例示することができる。この発明においては、「後方」とは、通気軒天井見切り縁１の施工後の位置関係における壁下地側をいい、「前方」とは、通気軒天井見切り縁１の施工後の位置関係における屋外側をいう。
【００１９】
表面化粧部２は、直立板状のカバー片２１と直立板状の押え片２２とが上下に連続して形成されている。カバー片２１の上端部には、略直角方向に屈曲する軒天井当接部２３が設けられている。カバー片２１と押え片２２との連説部（境界部）付近には、カバー片２１側に、表面化粧部２の前後方向に貫通する複数の排気孔２aが長手方向に間欠的に設けられている。排気孔２aの形状は、長手方向に横長な楕円形に形成されている。表面化粧部２の排気孔２aは、通気軒天井見切り縁１の内部への、ネジや釘等の固着具の挿入が可能な形状、大きさに形成されている。また、表面化粧部２は、排気孔２aを除く部分の形状がフラットに形成されている。
【００２０】
突出部３は、表面化粧部２のカバー片２１と押え片２２との連設部から後方へ、表面化粧部２に対して略直角に突出して形成されている。突出部３の前後方向長さは、使用される外壁材の厚さに対応している。突出部３の後方端部には、支持部６として、下向きに略直角に屈曲する第１の支持部６aが形成されている。突出部３の前後方向の中央付近からは、固着具打込部４が起立して形成されている。さらに、突出部３には、固着具打込部４より後方側に、上方へ略垂直方向に突出する起立部３１が設けられている。起立部３１の高さは、固着具打込部４の高さのおよそ１／５〜１／４程度に形成されている。
【００２１】
固着具打込部４は、高さが排気孔２aの開口高さより高く形成されている。固着具打込部４には、前方側に、長手方向に沿って表面から凹む溝部４１が配設されている。溝部４１は、排気孔２aの上縁位置よりも高さ位置が下側に位置するように固着具打込部４に配設されている。溝部４１の溝幅、深さ等は、使用する固着具に応じて適宜設計することができる。
【００２２】
傾斜部５は、固着具打込部４の上端部から、後方斜め上方向へ向かって延びて形成されている。傾斜部５の後方端部には、支持部６として、上向きに略垂直に屈曲する第２の支持部６bが形成されている。傾斜部５の前後方向長さは、突出部３の前後方向長さと対応しており、傾斜部５の第２の支持部６bと突出部３の第１の支持部６aとは、上下方向に並んで位置している。
【００２３】
傾斜部５には、下方へ突出し、突出部３の起立部３１と上下に対向する垂下部５１が設けられている。傾斜部５の垂下部５１と突出部３の起立部３１との間には、スリット状の固着具誘導部７が形成されている。固着具誘導部７の上下方向の幅（傾斜部５の垂下部５１と突出部３の起立部３１との間の間隔）は、使用する固着具に応じて適宜設計することができる。固着具誘導部７は、固着具打込部４の溝部４１と略等しい高さ位置に形成されている。
【００２４】
表面化粧部２の排気孔２aからは、固着具打込部４へ向かって固着具の挿入および打ち込みが可能とされている。
【００２５】
図２（Ａ）は、本発明の第１の実施形態の通気軒天井見切り縁の取付前の状態を例示した断面概要図である。
【００２６】
壁下地Ｈには、軒先に沿って複数の胴縁Ｄが取付固定されている。隣接する胴縁Ｄ同士は所定の間隔で配置されており、胴縁Ｄ同士の間には通気空間Ｗが形成されている。胴縁Ｄには、前方側に外壁材Ｇが取付固定されている。外壁材Ｇの上端部付近には、前方側から固着具Ｆ１が打ち込まれ、胴縁Ｄを貫通し、壁下地Ｈに到達している。軒天井Ｒの下面と、外壁材Ｇの上端部との間には隙間Ｂが形成されている。外壁材Ｇは、金属系外壁材の他、セメント板等の無機系外壁材を適宜使用することができる。また、固着具Ｆ１は、ネジや釘などを適宜使用することができる。
【００２７】
図２（Ｂ）は、本発明の第１の実施形態の通気軒天井見切り縁の取付構造を例示した断面概要図である。
【００２８】
通気軒天井見切り縁１は、軒天井Ｒの下面と外壁材Ｇの上端部の間に配置されている。通気軒天井見切り縁１の突出部３は、外壁材Ｇの上端部の上方に配置されている。表面化粧部２のカバー片２１の上端部の軒天井当接部２３は、軒天井Ｒの下面と当接している。表面化粧部２の押え片２２は、外壁材Ｇの上端部と対峙し、外壁材Ｇの上端部を前方から覆っているとともに、外壁材Ｇの上端部付近に打ち込まれた固着具Ｆ１を前方から覆っている。このため、固着具Ｆ１が外方に露出することがなく、外壁材Ｇの上端部付近の見栄えが良好になっている。さらに、第１の支持部６aおよび第２の支持部６bは、壁下地Ｈに対峙し当接している。
【００２９】
通気軒天井見切り縁１は、表面化粧部２の排気孔２aの外側から固着具Ｆ２が挿入され、前記固着具打込部４の溝部４１を貫通して、固着具誘導部７を介して後方の胴縁Ｄに固着されている。第１の支持部６aおよび第２の支持部６bは、上下に垂直に突出しているため、壁下地Ｈに対して第１の支持部６aおよび第２の支持部６bを当接させることで、表面化粧部２が略垂直に配置されている。表面化粧部２は、フラットに形成されているため、施工後の見栄えが良好になっている。固着具Ｆ２も、ネジや釘などを適宜使用することができる。
【００３０】
固着具打込部４には、溝部４１が設けられているため、固着具Ｆ２の位置決めが容易になっており、固着具Ｆ２を打ち込む際の作業安定性に優れている。また、通気軒天井見切り縁１は、固着具誘導部７が設けられているため、固着具Ｆ２の打ち込み作業時に固着具Ｆ２が固着具誘導部７を通過する際に、固着具Ｆ２が胴縁Ｄに対して垂直に対峙するように誘導される。このため、固着具Ｆ２による通気軒天井見切り縁１の取付固定を安定的に行うことができる。さらに、固着具打込部４に打ち込まれた固着具Ｆ２は、その頭部が固着具打込部４の前方側に当接した状態で表面化粧部２と固着具打込部４の間に収納されている。このため、固着具Ｆ２が通気軒天井見切り縁１の外方に露出しておらず、施工後の見栄えが良好になっている。
【００３１】
図２（Ｂ）の矢印に例示したように、一般的に、胴縁Ｄ間に形成された通気空間Ｗでは、土台側から軒天井Ｒの方向に壁下地Ｈに沿って空気が流れる。そして、この空気は、通気軒天井見切り縁１の内部を通って排気孔２aから排気される。通気軒天井見切り縁１は、通気空間Ｗからの空気の流れを妨げにくいため、空気をよどみなくほぼストレートに排気孔２aから排気することができる。
【００３２】
さらに、通気軒天井見切り縁１は、第２の支持部６bが上向きに突出して胴縁Ｄと当接しているため、第２の支持部６bが水返しの役割を果たす。したがって、例えば、軒天井Ｒの下面から胴縁Ｄを伝って流下する雨水等は、第２の支持部６bから傾斜部５へと流れるため、第２の支持部６bより下方には伝わりにくく、胴縁Ｄや外壁材Ｇの腐蝕やカビの発生などが抑制される。そして、傾斜部５へと流れた雨水等は、固着具打込部４より前方側の突出部３を通じて排気孔２aから排水される。排気孔２aは、カバー片２１と押え片２２との連設部付近のカバー片２１側に設けられているため、突出部３と排気孔２aとの間に段差がない。したがって、傾斜部５から突出部３に達した雨水等が突出部３上に滞留しにくく、排気孔２aからの排水が円滑に行われる。このため、雨水等による通気軒天井見切り縁１の腐蝕やカビの発生などが抑制される。
【００３３】
また、通気軒天井見切り縁１を配設する際の手順としては、例えば、以下の手順を例示することができる。まず、隙間Ｂにおいて、第１の支持部６aおよび第２の支持部６bを胴縁Ｄに当接させ、突出部３を外壁材Ｇの上方に配置する。そして、通気軒天井見切り縁１を上方へ持ち上げて軒天井当接部２３を軒天井Ｒの下面を当接させる。また、外壁材Ｇを固定する固着具Ｆ１は、表面化粧部２の押え片２２によって覆うことができる位置に予め打ち込んでおく。この状態で、排気孔２aから固着具打込部４へ向かって固着具Ｆ２を挿入し、固着具打込部４を貫通させて後方の胴縁Ｄに固着させる。固着具Ｆ２の頭部が表面化粧部２と前記固着具打込部４の間に収納されるまで固着具Ｆ２を押し込むことで固着具Ｆ２が露出しないため、施工後の見栄えが良好になる。通気軒天井見切り縁１の取付作業は、外壁材Ｇを取付けた後に行うことができるため、作業が容易であり、施工容易性に優れている。
【００３４】
図３は、本発明の通気軒天井見切り縁の第２の実施形態を例示した断面概要図である。第１の実施形態と共通する部分には、同一の符号を付し、以下では説明を一部省略する。
【００３５】
通気軒天井見切り縁１は、傾斜部５の後方端部から上向きに屈曲する第２の支持部６bが、表面化粧部２のカバー片２１の上端部と同程度の高さまで形成されている。そして、第２の支持部６bには、前後方向へ貫通する複数の通気孔８が長手方向に亘って設けられている。通気孔８の形状、大きさ等は適宜設計することができる。
【００３６】
第２の支持部６bが設けられているため、害虫や小動物等が胴縁Ｄの通気空間Ｗ（図２に図示）等へ侵入するのを抑制することができ、通気軒天井見切り縁１を衛生的に維持することができる。また、第２の支持部６bが大きく形成されているため、通気軒天井見切り縁１をより安定に胴縁に当接させて取付けることができ、水返し効果もさらに高まっている。また、第２の支持部６bは、強風時等に排気孔２aから吹き込んだ雨水が胴縁側へ到達するのを抑制することができる。
【００３７】
図４（Ａ）は、本発明の通気軒天井見切り縁の第３の実施形態を例示した断面概要図である。第１の実施形態と共通する部分には、同一の符号を付し、以下では説明を省略する。
【００３８】
通気軒天井見切り縁１は、金属薄板によって折り曲げ成形されている。金属薄板としては、折り曲げ、打ち抜き、切り込み等の加工が容易な厚さを有する鋼板、アルミニウム板等が例示される。
【００３９】
通気軒天井見切り縁１は、表面化粧部２の押え片２２の下端部から後方斜め上方向へ屈曲した屈曲部２２aを有している。押え片２２の屈曲部２２aを外壁材Ｇ（図２に図示）と当接させることで、外壁材Ｇ（図２に図示）の上端部を確実に保持することができる。
【００４０】
表面化粧部２のカバー片２１の下端部（押え片２２との連設部）から後方へ、突出部３として、表面化粧部２に対して略直角に第１の突出部３aが延びている。排気孔２aは、カバー片２１と押え片２２との連設部付近において、カバー片２１の下方から第１の突出部３aの前方側に亘って開口している。また、表面化粧部２の押え片２２の上端部（カバー片２１との連設部）から後方へ、突出部３として、表面化粧部２に対して略直角に第２の突出部３bが延びている。第２の突出部３bは、第１の突出部３aよりも後方へ延びている。第１の突出部３aと第２の突出部３bは、前方側で互いに当接しており、金属薄板が上下に２枚重ねの状態で平行に延びている。
【００４１】
第２の突出部３bの前後方向の中央付近において、第１の突出部３aの後方端部から溝部４１を有する固着具打込部４が起立して形成されている。したがって、固着具打込部４より後方側では、第２の突出部３bが１枚の状態で後方へ延びている。
【００４２】
固着具打込部４の上端部からは、後方斜め上方向へ向かって傾斜部５が延びている。さらに、傾斜部５の後方端部と第２の突出部３bの後方端部とが互いに接続して略垂直な支持部６が形成されている。
【００４３】
第３の実施形態においても、第１の実施形態と同様に、排気孔２aから固着具打込部４へ向かっての固着具の挿入および打ち込みが可能とされているため、施工が容易であり、施工後の見栄えも良好となる。また、通気空間Ｗ（図２に図示）から流れる空気の排気孔２aからの排気や、傾斜部５を介した排気孔２aからの雨水等の排水に関しても、第１の実施形態と同様の効果を奏する。
【００４４】
図４（Ｂ）は、本発明の通気軒天井見切り縁の第４の実施形態を例示した断面概要図である。第３の実施形態と共通する部分には、同一の符号を付し、以下では説明を省略する。
【００４５】
通気軒天井見切り縁１は、傾斜部５の後方端部から、上方へ向かって延びる立ち上がり部９が形成されている。立ち上がり部９は、表面化粧部２のカバー片２１の上端部と同程度の高さまで延びている。
【００４６】
立ち上がり部９の上端部からは、後方側の下方向に折り返して延びる支持部６が形成されている。支持部６の下端部は、第２の突出部３bの後方端部と接続している。したがって、支持部６は、立ち上がり部９の後方において金属薄板が２枚重ねになっており、立ち上がり部９より下方位置では１枚の状態となっている。そして、立ち上がり部９と支持部６が２枚重ねとなっている部分には、立ち上がり部９と支持部６を前後方向に貫通する通気孔８が設けられている。
【００４７】
第４の実施形態においては、第３の実施形態における効果に加え、以下の効果を奏する。通気軒天井見切り縁１は、立ち上がり部９が設けられているため、害虫や小動物等が通気空間Ｗ（図２に図示）等へ侵入するのを抑制することができ、通気軒天井見切り縁１を衛生的に維持することができる。また、支持部６が大きく形成されているため、通気軒天井見切り縁１をより安定に胴縁に当接させて取付けることができ、水返し効果もさらに高まっている。また、立ち上がり部９は、強風時等に排気孔２aから吹き込んだ雨水が胴縁側へ到達するのを抑制する。
【００４８】
図４（Ｃ）は、本発明の通気軒天井見切り縁の第５の実施形態を例示した断面概要図である。第３の実施形態と共通する部分には、同一の符号を付し、以下では説明を省略する。
【００４９】
傾斜部５は、第１の傾斜部５aと第２の傾斜部５bとによって形成されている。第１の傾斜部５aは、固着具打込部４の上端部から後方斜め上へ向かって延び、第２の傾斜部５bは、第１の傾斜部５aに後方端部からさらに後方斜め上へ急勾配で延びている。第２の傾斜部５bの後方端部からは、支持部６が下方へ向かって延びており、第２の突出部３bの後方端部と接続している。傾斜部５（第１の傾斜部５a、第２の傾斜部５b）は、表面化粧部２のカバー片２１の上端部と同程度の高さまで延びている。さらに、支持部６には、通気孔８として、前後に貫通する第１の通気孔８aが設けられ、第２の傾斜部５bには、通気孔８として、前後に貫通する第２の通気孔８bが設けられている。第１の通気孔８aと第２の通気孔８bは、互いに連通している。第１の通気孔８aと第２の通気孔８bの形状、大きさ、配設位置は適宜設計することができる。
【００５０】
第５の実施形態においては、第３の実施形態における効果に加え、以下の効果を奏する。通気軒天井見切り縁１は、第２の傾斜部５bが設けられているため、害虫や小動物等が胴縁の通気空間Ｗ等へ侵入するのを抑制することができ、通気軒天井見切り縁１を衛生的に維持することができる。また、支持部６が大きく形成されているため、通気軒天井見切り縁１をより安定に胴縁に当接させて取付けることができ、水返し効果もさらに高まっている。また、第２の傾斜部５bは、強風時等に排気孔２aから吹き込んだ雨水が胴縁側へ到達するのを抑制する。また、第１の通気孔８aと第２の通気孔８bが連通しているため、通気空間Ｗ（図２に図示）から流れる空気は、第１の通気孔８aと第２の通気孔８bを通じて表面化粧部２の排気孔２aから確実に排気される。
【００５１】
本発明の通気軒天井見切り縁とその取付構造は、以上の形態に限定されるものではない。例えば、排水性を考慮して、突出部を上方へやや傾斜した形状に形成することもできる。また、固着具打込部および傾斜部は、表面化粧部の排気孔の位置に対応する後方にのみ部分的に設けることもできる。また、通気軒天井見切り縁の取付構造においては、例えば、軒天井当接部と軒天井の下面との間にＥＰＤＭ等の水密材を配設することもできる。
【符号の説明】
【００５２】
１    通気軒天井見切り縁
２    表面化粧部
２a   排気孔
２１  カバー片
２２  押え片
３    突出部
３１  起立部
４    固着具打込部
４１  溝部
５    傾斜部
５１  垂下部
６    支持部
７    固着具誘導部
８    通気孔
Ｒ    軒天井
Ｇ    外壁材
Ｆ１  固着具
Ｆ２  固着具
【図１】
0005539924.tif 000002
【図２】
0005539924.tif 000003
【図３】
0005539924.tif 000004
【図４】
0005539924.tif 000005